(57)【要約】【課題】寝床内の環境を快適な温度に保つことができる寝具を提供する。【解決手段】寝具１０は、人体が横たわる寝具本体１１と、寝具本体１１の内部の熱を吸熱する吸熱装置２と、吸熱装置２の温度を制御する温度制御装置５とを備え、寝具本体１１は、空間材２ａと、当該空間材２ａを内包する表面材とから形成され、吸熱装置２は、空間材２ａに通風経路と、人体の肩口から人体の中央部に対応する表面材の側面に形成される吸気部２ｂと、表面材の人体の足側に形成される排気部２ｃと、空間材２ａの通風経路に冷却用の空気を通気する送風機２ｄとを有する。【選択図】  図２
2005007063.tif 000002
【特許請求の範囲】
【請求項１】
人体が横たわる寝具本体と、
前記寝具本体の内部の熱を吸熱する吸熱装置と、
前記吸熱装置の温度を制御する温度制御装置とを備え、
前記寝具本体は、内層材と、当該内層材を内包する表面材とから形成され、
前記吸熱装置は、前記内層材に通風経路と、前記人体の肩口から前記人体の中央部に対応する前記表面材の側面に形成される吸気用開口と、前記表面材の前記人体の足側に形成される排気用開口と、前記通風経路に冷却用の空気を通気する通風機とを有することを特徴とする寝具。
【請求項２】
前記吸気用開口及び前記排気用開口の少なくとも一方に延長パイプを設けることを特徴とする請求項１記載の寝具。
【請求項３】
前記内層材は、前記人体の身長方向に通気する通風経路を形成し、当該通風経路は、前記寝具本体の中央部分の通風量が外側部分の通風量よりも大きくなるように形成されることを特徴とする請求項１記載の寝具。
【請求項４】
前記温度制御装置は、前記通風経路内の通風量を制御することによって前記通風経路内の空気の温度を制御することを特徴とする請求項１記載の寝具。
【請求項５】
前記寝具本体の内部を加熱する加熱装置をさらに備え、
前記加熱装置は、電熱ヒータであり、当該電熱ヒータは、前記人体から遠い側の内層材表面に配置されることを特徴とする請求項１記載の寝具。
【発明の詳細な説明】
【０００１】
【発明の属する技術分野】
本発明は、温度調節が可能な寝具に関するものである。
【０００２】
【従来の技術】
従来、就寝時に用いられる寝具には、保温することで快適な床内環境を提供することを目的として内部に電熱ヒータが設けられているものが提案されている。このような寝具は、使用者によって設定される温度に寝具本体を暖めることにより、寒冷時における快適な安眠を提供している。
【０００３】
また、人体からの熱や湿気を寝具外に放出し、快適な床内環境を提供することを目的として寝具本体に吸気のための開口と、排気のための排気口が設けられた寝具が提案されている（例えば、特許文献１参照）。
【０００４】
【特許文献１】
特開２００３−２４１８１号公報
【０００５】
【発明が解決しようとする課題】
しかしながら、上記２つの寝具は、温度調節を自ら行わなければならないため、必ずしも快適な安眠が得られるものではなかった。特に、日によって気温の変化が大きい場合や、一晩のうちでも気温が大きく変化する季節の変わり目等においては温度調節が難しく、寝床内の環境を常に快適な温度に保つことが困難であった。
【０００６】
本発明は、上記の問題を解決するためになされたもので、寝床内の環境を快適な温度に保つことができる寝具を提供することを目的とするものである。
【０００７】
【課題を解決するための手段】
本発明に係る寝具は、人体が横たわる寝具本体と、前記寝具本体の内部の熱を吸熱する吸熱装置と、前記吸熱装置の温度を制御する温度制御装置とを備え、前記寝具本体は、内層材と、当該内層材を内包する表面材とから形成され、前記吸熱装置は、前記内層材に通風経路と、前記人体の肩口から前記人体の中央部に対応する前記表面材の側面に形成される吸気用開口と、前記表面材の前記人体の足側に形成される排気用開口と、前記通風経路に冷却用の空気を通気する通風機とを有する。
【０００８】
この構成によれば、寝具本体の内部の熱を吸熱する吸熱装置が、内層材に通風経路と、人体の肩口から人体の中央部に対応する表面材の側面に形成され、外気を取り入れる吸気用開口と、表面材の人体の足側に空気の出る排気用開口と、通風経路に冷却用の空気を通気する通風機とを有し、温度制御装置によって、人体が横たわる寝具本体の内部の熱を吸熱する吸熱装置の少なくとも一方の温度が制御される。
【０００９】
したがって、人体の肩口から人体の中央部に対応する表面材の側面に形成された吸気用開口より空気が内層材の通風経路に吸気され、吸気された空気が表面材の人体の足側に形成された排気用開口より排気されることによって吸熱することができ、寝床内の温度を効率よく下げることができ、寝床内の環境を快適な温度に保つことができ、快適な睡眠を提供することができる。
【００１０】
さらに、外気を取り込む吸気用開口が、人体の肩口から人体の中央部に対応するように寝具本体の表面材の側面に形成されるので、人体の背面に接する寝具内に素早く外気を取り込むことができ、効率よく吸熱することができる。
【００１１】
また、上記の寝具において、前記吸気用開口及び前記排気用開口の少なくとも一方に延長パイプを設けることが好ましい。
【００１２】
この構成によれば、吸気用開口及び排気用開口の少なくとも一方に延長パイプが設けられるので、開口が寝具によりふさがれることがなくなり、寝具本体より離れた場所から外気を吸気することができ、寝具本体より離れた場所に排気することができる。
【００１３】
また、上記の寝具において、前記内層材は、前記人体の身長方向に通気する通風経路を形成し、当該通風経路は、前記寝具本体の中央部分の通風量が外側部分の通風量よりも大きくなるように形成されることが好ましい。
【００１４】
この構成によれば、内層材の通風経路について、寝具本体の中央部分の通風量が外側部分の通風量よりも大きくなるように形成されるので、人体の背面に接する寝具内の熱を効率よく吸熱することができる。
【００１５】
また、上記の寝具において、前記温度制御装置は、前記通風経路内の通風量を制御することによって前記通風経路内の空気の温度を制御することが好ましい。この構成によれば、通風経路内の通風量の大きさを変化させることによって、通風経路内の空気の温度を制御することができる。
【００１６】
また、上記の寝具において、前記寝具本体の内部を加熱する加熱装置をさらに備え、前記加熱装置は、電熱ヒータであり、当該電熱ヒータは、前記人体から遠い側の内層材表面に配置されることが好ましい。
【００１７】
この構成によれば、寝具本体の内部を加熱する加熱装置が電熱ヒータであるので、寝床内を容易に加熱することができ、電熱ヒータが、人体から遠い側の内層材表面に配置されるので、電熱ヒータの熱が、人体に直接伝わらないようになり、吸熱装置の送風効果を妨げ難くすることができる。
【００１８】
【発明の実施の形態】
以下、本発明に係る実施形態を図面に基づいて説明する。なお、各図において同一の構成については、同一の符号を付し、その説明を省略する。
【００１９】
（第１実施形態）
図１は、本発明の第１実施形態に係る寝具の外観を示す図であり、図２は、本発明の第１実施形態に係る寝具の内部構造を示す図である。図１に示すように、寝具１０は、人体が横たわることが可能な一般的な敷布団と同様の大きさである。
【００２０】
図１及び図２に示す寝具１０は、肩口用電熱線ヒータ１ａ、足元用電熱線ヒータ１ｂ、空間材２ａ、吸気部２ｂ、排気部２ｃ、送風機２ｄ、室内温度センサ３、肩口用寝床内温度センサ４ａ、足元用寝床内温度センサ４ｂ、温度制御部５及び操作部６を備えて構成される。
【００２１】
加熱装置１（図６参照）は、寝床内の温度を上げるものであり、人体の肩口付近に配置される肩口用電熱線ヒータ１ａと、人体の足元付近に配置される足元用電熱線ヒータ１ｂとを備えて構成される。肩口用電熱線ヒータ１ａは、人体の肩口付近の寝床内にＳ字状に配置され、人体の肩口付近の寝床内の温度を上昇させる。足元用電熱線ヒータ１ｂは、人体の足元付近の寝床内にＳ字状に配置され、人体の足元付近の寝床内の温度を上昇させる。なお、肩口用電熱線ヒータ１ａと足元用電熱線ヒータ１ｂとは、温度制御部６によってそれぞれ個別に温度制御される。人体の肩口に当たる位置に肩口用電熱線ヒータ１ａを配置することよって、特に外気を遮断しにくい肩口の寝床内温度を集中的に上げることができる。
【００２２】
吸熱装置２（図６参照）は、寝床内の温度を下げるものであり、空間材２ａ、吸気部２ｂ、排気部２ｃ及び送風機２ｄを備えて構成される。空間材２ａは、通気性及び弾力性を有する材質、例えば、ウレタンフォーム等で形成され、吸気部２ｂによって取り込まれた気体を通過させる。吸気部２ｂは、人体の肩口付近から背中付近までにかけての寝具本体１１の両側に開口が形成され、当該開口から外気を空間材２ａに取り込む。排気部２ｃは、寝具本体１１の下隅部に開口が形成され、空間材２ｃ内の気体を外部に排出する。送風機２ｄは、排気部２ｃの手前に設けられ、例えばファンを回転させることにより、吸気部２ｂから外気を空間材２ａに取り込み、空間材２ａ内を通過した気体を排気部２ｃから排出させ、寝具本体１１内に空気の流れを生じさせる。吸熱装置２は、外気を取り込むことによって熱を吸収し、空間材２ａの温度を外気の温度にまで下げることができ、寝床内の温度を下げることができる。また、外気を取り込むための吸気部２ｂを人体の肩口付近から背中付近にかけての両側面に設けているので、外気が素早く人体の下に取り込まれ、効率よく寝床内の温度を下げることができる。また、寝具本体１１にシーツをかぶせた場合に吸気部２ｂの開口部分を塞ぐことがないため、使用者は好みのシーツを使用することができる。
【００２３】
室内温度センサ３は、外気を取り込むための吸気部２ｂ近傍に設けられている。室内温度センサ３は、室内の温度、すなわち、外気温を計測する。このように、吸気部２ｂに室内温度センサ３を設けることによって、外気を取り込む際の外気温を知ることができる。
【００２４】
寝床内温度センサ４（図６参照）は、寝床内の温度を計測するものであり、人体が横たわった際の肩口付近に配置される肩口用寝床内温度センサ４ａと、人体が横たわった際の足元付近に配置される足元用寝床内温度センサ４ｂとを備えて構成される。肩口用寝床内温度センサ４ａは、人体の肩口付近の寝床内の温度を計測する。足元用寝床内温度センサ４ｂは、人体の足元付近の寝床内の温度を計測する。肩口用寝床内温度センサ４ａ及び足元用寝床内温度センサ４ｂは、人体が寝具を使用する際に略人体の下になる位置に配置されるので、人体が感じている温度を正確に検出することができる。
【００２５】
なお、室内温度センサ３、肩口用寝床内温度センサ４ａ及び足元用寝床内温度センサ４ｂは、例えば、サーミスタ、熱電対又は半導体温度センサ等で構成される。
【００２６】
図３は、寝具１０の断面を示す図である。図３に示すように、電熱線ヒータ１ａ，１ｂは空間材２ａの下に配置され、空間材２ａ及び電熱線ヒータ１ａ，１ｂは、表面素材７ａと裏面素材７ｂとに挟まれている。表面素材７ａには、機密性及び吸湿性に富んだ素材、例えば、ダウンプルーフ加工した綿が用いられる。電熱線ヒータ１ａ，１ｂを空間材２ａの下に配置することで、電熱線ヒータ１ａ，１ｂの熱が、人体に直接伝わらないようになっており、空間材２ａの送風効果を妨げ難くしている。
【００２７】
このように、表面素材７ａに機密性及び吸湿性に富んだ素材を用いることにより、空間材２ａ中の気体を外部に排出する排気部２ｃ付近に設けられた送風機２ｄのみで、外気を吸気部２ｂより取り込むことができる。ただし、送風機２ｄの性能が高い場合は、表面素材７ａに通気性のよい素材、例えば、ガーゼを用いることにより、人体が横たわった際の人体周辺の空気を吸い込みやすくなり、寝床内の温度をより下げやすくすることができる。
【００２８】
温度制御部５は、室内温度センサ３及び寝床内温度センサ４ａ，４ｂの検出値に基づいて電熱線ヒータ１ａ，１ｂ及び送風機２ｄを制御することにより、寝床内の温度を睡眠に適した設定温度に保つ。
【００２９】
ここで、睡眠に適した設定温度について説明する。図４は、睡眠に適した設定温度について説明するための図である。なお、図４における縦軸は温度を表し、横軸は時間を表す。一般に、快適な睡眠が得られる寝床内温度は３３度前後であるといわれている。さらに、入床時の温度に比べて起床時の温度を若干高めにするとよく、足元の温度は肩口の温度よりも数度程度高い温度にするとよい。例えば、足元の温度は肩口の温度よりも１度〜５度高い温度にするとよく、より好ましくは、２度高い温度にするとよい。
【００３０】
そこで、図４に示すように、温度制御部５は、足元の温度が肩口の温度よりも常に数度程度高い設定温度となるように制御する。このように、人体の各部位に位置する寝床内の温度を各部位に応じた温度に制御することができる。また、入床時からの経過時間を計時するタイマを設け、温度制御部５は、入床時の温度に比べて起床時の温度が高くなるように、経過時間に応じて設定温度を変化させるように制御する。すなわち、予め設定される就寝時間、例えば、５時間後の寝床内の温度が入床時の温度よりも高くなるように設定する。
【００３１】
さらに、寝床内の温度は、使用者の好みによって異なるため、複数段階、例えば、「高」、「中」及び「低」の３段階に設定温度を切り替え可能に構成することによって、使用者の所望する温度に対応することができる。
【００３２】
また、温度制御部５は、室内温度センサ３の検出温度が高い場合（例えば、夏期等）、設定温度が低くなるように制御し、室内温度センサ３の検出温度が低い場合（例えば、冬期等）、設定温度が高くなるように制御する。
【００３３】
操作部６は、寝具本体１１の下隅部に設けられ、使用者による操作を受け付け、受け付けた操作に応じた操作信号を温度制御部５に出力する。図５は、操作部６の構成の一例を示す図である。操作部６は、電源スイッチ６ａ、温度設定スイッチ６ｂ、寝床内温度表示部６ｃ、室内温度表示部６ｄ、加熱動作確認ランプ６ｅ、吸熱動作確認ランプ６ｆ、肩口用電熱線ヒータ動作確認ランプ６ｇ、足元用電熱線ヒータ動作確認ランプ６ｈ及びキーロックスイッチ６ｉを備えて構成される。
【００３４】
電源スイッチ６ａは、電源のオン／オフを切り換えるスイッチである。電源スイッチ６ａが、オン側に操作されることで、電源電圧の供給を各部に対して行い、オフ側に操作されることで、電源電圧の供給を停止する。
【００３５】
温度設定スイッチ６ｂは、例えば、「高」、「中」及び「低」の３段階に設定温度を切り換えるスイッチである。温度設定スイッチ６ｂが、「高」側に操作されることで、第１の設定温度に設定され、「中」側に操作されることで、第１の設定温度よりも低い第２の設定温度に設定され、「低」側に操作されることで、第２の設定温度よりも低い第３の設定温度に設定される。
【００３６】
寝床内温度表示部６ｃは、寝床内温度センサ４ａ，４ｂによって検出される寝床内の温度を表示する。なお、本実施形態における寝床内温度表示部６ｃは、肩口用寝床内温度センサ４ａによって検出される肩口付近の寝床内の温度と、足元用寝床内温度センサ４ｂによって検出される足元付近の寝床内の温度とを表示するが、本発明は特にこれに限定されず、寝床内温度表示部６ｃは、肩口用寝床内温度センサ４ａによって検出される肩口付近の寝床内の温度と、足元用寝床内温度センサ４ｂによって検出される足元付近の寝床内の温度との平均値を寝床内の温度として表示してもよい。室内温度表示部６ｄは、室内温度センサ３によって検出される室内の温度（外気温）を表示する。このように、寝具１０は、寝床内の温度を表示する寝床内温度表示部６ｃ及び室内の温度を表示する室内温度表示部６ｄの少なくとも一方を備えているので、使用者は寝床内の温度及び室内の温度の少なくとも一方を確認することができる。
【００３７】
加熱動作確認ランプ６ｅは、例えば、ＬＥＤで構成され、加熱装置１が動作中である場合、ＬＥＤを発光させる。なお、本実施形態において加熱動作確認ランプ６ｅは、肩口用電熱線ヒータ１ａ及び足元用電熱線ヒータ１ｂのうちの少なくとも一方が動作中である場合、ＬＥＤを発光させる。
【００３８】
吸熱動作確認ランプ６ｆは、例えば、ＬＥＤで構成され、吸熱装置２が動作中である（送風機２ｄが回転している）場合、ＬＥＤを発光させる。
【００３９】
肩口用電熱線ヒータ動作確認ランプ６ｇは、例えば、ＬＥＤで構成され、肩口用電熱線ヒータ１ａが動作中である場合、ＬＥＤを発光させる。足元用電熱線ヒータ動作確認ランプ６ｈは、例えば、ＬＥＤで構成され、足元用電熱線ヒータ１ｂが動作中である場合、ＬＥＤを発光させる。
【００４０】
キーロックスイッチ６ｉは、睡眠中等における各スイッチの誤操作を防止するためのスイッチである。キーロックスイッチ６ｉが、オン側に操作されることで、電源スイッチ６ａ及び温度設定スイッチ６ｂを固定し、オフ側に操作されることで、電源スイッチ６ａ及び温度設定スイッチ６ｂの固定を解除する。なお、本実施形態では、睡眠中等における各スイッチの誤操作を防止するためにキーロックスイッチ６ｉを設けているが、本発明は特にこれに限定されず、キーロックスイッチ６ｉを設けずに、電源スイッチ６ａ及び温度設定スイッチ６ｂを覆うカバーを設けてもよい。また、電源スイッチ６ａ及び／又は温度設定スイッチ６ｂが押圧式のスイッチである場合、スイッチが所定時間以上押圧されると操作を無効にする制御を行うことにより、誤操作を防止してもよい。
【００４１】
なお、本実施形態において操作部６は、電源スイッチ６ａ、温度設定スイッチ６ｂ、寝床内温度表示部６ｃ、室内温度表示部６ｄ、加熱動作確認ランプ６ｅ、吸熱動作確認ランプ６ｆ、肩口用電熱線ヒータ動作確認ランプ６ｇ、足元用電熱線ヒータ動作確認ランプ６ｈ及びキーロックスイッチ６ｉを備えて構成されるが、本発明は特にこれに限定されず、操作部６は、必要な部材のみを適宜備えればよい。また、操作部６には、起床時刻を入力する起床時刻入力部を設けてもよい。
【００４２】
図６は、本発明の第１実施形態における寝具１０の構成を示すブロック図である。図６に示す寝具１０は、加熱装置１、吸熱装置２、室内温度センサ３、寝床内温度センサ４、温度制御部５、操作部６、タイマ７及びメモリ８を備えて構成される。
【００４３】
前述したように、加熱装置１は、肩口用電熱線ヒータ１ａ及び足元用電熱線ヒータ１ｂを備えて構成され、吸熱装置２は、空間材２ａ、吸気部２ｂ、排気部２ｃ及び送風機２ｄを備えて構成され、寝床内温度センサ４は、肩口用寝床内温度センサ４ａ及び足元用寝床内温度センサ４ｂを備えて構成される。
【００４４】
温度制御部５は、例えば、ＣＰＵ（中央演算処理装置）を備えて構成され、室内温度センサ３及び寝床内温度センサ４の検出値に基づいて、加熱装置１及び吸熱装置２を制御する。すなわち、温度制御部５は、室内温度の影響を考慮して、室内温度センサ３及び寝床内温度センサ４の検出値の差に従って加熱装置１及び吸熱装置２を制御する。
【００４５】
タイマ７は、入床時からの経過時間を計測するものであり、入床時の電源オンをトリガとしてカウント（計時）を開始する。
【００４６】
メモリ８は、例えば、ＥＥＰＲＯＭで構成され、上下限値記憶部８１、設定温度記憶部８２、標準外気温記憶部８３及び変換係数記憶部８４を備えて構成される。上下限値記憶部８１は、寝床内の温度の上限値及び下限値を記憶している。
設定温度記憶部８２は、入床から起床までの経過時間に応じて変化する温度特性を有する複数の設定温度を予め記憶する。本実施形態では、「高」、「中」及び「低」の３段階に設定温度を切り換え可能であるので、設定温度記憶部８２は、第１の設定温度、第１の設定温度よりも低い第２の設定温度及び第２の設定温度よりも低い第３の設定温度を記憶する。また、第１〜第３の設定温度のそれぞれについて、第１〜第３の肩口用設定温度と第１〜第３の足元用設定温度とがある。標準外気温記憶部８３は、入床から起床までの経過時間に応じて変化する温度特性を有する標準的な外気温の変動を記憶する。変換係数記憶部８４は、設定温度を外気温に応じて変換するための変換係数を記憶する。なお、変換係数については後述する。
【００４７】
次に、第１の実施形態における寝具１０の温度制御について説明する。図７は、第１の実施形態における寝具１０の温度制御について説明するための図である。なお、図７における縦軸は温度を表し、横軸は時間を表す。
【００４８】
まず、タイマ７は、操作部６からの電源オン信号をトリガとして計時を開始する。室内温度センサ３は、時間ｔにおける室内の外気温を検出し、検出した外気温を温度制御部５に出力する。温度制御部５は、室内温度センサ３によって検出された外気温と、標準外気温記憶部８３に記憶されている時間ｔにおける標準外気温とを比較する。ここで、温度制御部５は、室内温度センサ３によって検出された外気温が、標準外気温記憶部８３に記憶されている時間ｔにおける標準外気温と同じである場合、設定温度記憶部８２に記憶されている時間ｔにおける設定温度となるように加熱装置１及び吸熱装置２を制御する。
【００４９】
例えば、操作部６により、第１の設定温度に設定されている場合、温度制御部５は、肩口用寝床内温度センサ４ａによって検出される肩口付近の温度と、設定温度記憶部８２に記憶されている第１の肩口用設定温度Ｔｓとを比較する。ここで、温度制御部５は、肩口用寝床内温度センサ４ａによって検出される肩口付近の温度が、設定温度記憶部８２に記憶されている第１の肩口用設定温度Ｔｓよりも高い場合、肩口用寝床内温度センサ４ａによって検出される肩口付近の温度が、設定温度記憶部８２に記憶されている第１の肩口用設定温度Ｔｓと同じになるまで送風機２ｄを駆動する。ここで、温度制御部５は、下げるべき温度が小さい場合、送風機２ｄの回転数が小さくなるように制御し、下げるべき温度が大きい場合、送風機２ｄの回転数が大きくなるように制御する。このように、室内温度センサ３及び寝床内温度センサ４の検出値の差に応じて送風機２ｄの回転数を制御することにより、下げるべき温度が小さい場合は温度を下げすぎることがなく、下げるべき温度が大きい場合は急激に温度を下げることができる。
【００５０】
また、温度制御部５は、肩口用寝床内温度センサ４ａによって検出される肩口付近の温度が、設定温度記憶部８２に記憶されている第１の肩口用設定温度Ｔｓよりも低い場合、肩口用寝床内温度センサ４ａによって検出される肩口付近の温度が、設定温度記憶部８２に記憶されている第１の肩口用設定温度Ｔｓと同じになるまで肩口用電熱線ヒータ１ａを駆動する。
【００５１】
同様に、温度制御部５は、足元用寝床内温度センサ４ｂによって検出される足元付近の温度が、設定温度記憶部８２に記憶されている第１の足元用設定温度Ｔｆよりも高い場合、足元用寝床内温度センサ４ｂによって検出される足元付近の温度が、設定温度記憶部８２に記憶されている第１の足元用設定温度Ｔｆと同じになるまで送風機２ｄを駆動する。また、温度制御部５は、足元用寝床内温度センサ４ｂによって検出される足元付近の温度が、設定温度記憶部８２に記憶されている第１の足元用設定温度Ｔｆよりも低い場合、足元用寝床内温度センサ４ｂによって検出される足元付近の温度が、設定温度記憶部８２に記憶されている第１の足元用設定温度Ｔｆと同じになるまで足元用電熱線ヒータ１ｂを駆動する。
【００５２】
一方、温度制御部５は、室内温度センサ３によって検出された外気温が、標準外気温記憶部８３に記憶されている時間ｔにおける標準外気温と異なる場合、設定温度記憶部８２に記憶されている時間ｔにおける設定温度に、変換係数記憶部８４に記憶されている変換係数を乗算することによって得られる変換後の設定温度となるように加熱装置１及び吸熱装置２を制御する。
【００５３】
図８は、設定温度を外気温に応じて変換する変換係数について説明するための図である。なお、図８における縦軸は設定温度（相対値）を表し、横軸は外気温（相対値）を表す。
【００５４】
図８に示すように、変換係数記憶部８４は、時刻ｔにおける標準外気温の値を１とし、当該時刻ｔにおける設定温度の値を１として、検出された外気温と設定温度とを相対値で表すと、検出された外気温が標準外気温よりも高い場合に設定温度は低くなり、検出された外気温が標準外気温よりも低い場合に設定温度は高くなるような直線Ｋで表される変換係数を記憶している。なお、図８に示す直線Ｋは、一例であり、その傾き等はこれに限定されるものではない。
【００５５】
例えば、時間ｔにおいて室内温度センサ３によって検出された外気の温度Ｔｂが標準外気温Ｔａよりも高い場合、温度制御部５は、変換係数記憶部８４に記憶されている変換係数を第１の足元用設定温度Ｔｆに乗算することによって設定温度Ｔｆ’（Ｔｆ＞Ｔｆ’）に変換し、変換した設定温度Ｔｆ’となるように加熱装置１及び吸熱装置２を制御する。すなわち、図８に示すように、標準外気温Ｔａを１とし、第１の足元用設定温度Ｔｆを１すると、温度Ｔｂにおける相対値はＴｂ／Ｔａで表され、Ｔｂ／Ｔａにおける設定温度の相対値はＷｂで表され、このＴｂ／Ｔａにおける設定温度の相対値Ｗｂが変換係数として用いられる。従って、設定温度Ｔｆ’は、第１の足元用設定温度Ｔｆと変換係数Ｗｂとを乗算した値となる。
【００５６】
また、温度制御部５は、変換係数記憶部８４に記憶されている変換係数を第１の肩口用設定温度Ｔｓに乗算することによって設定温度Ｔｓ’（Ｔｓ＞Ｔｓ’）に変換し、変換した設定温度Ｔｓ’となるように加熱装置１及び吸熱装置２を制御する。すなわち、図８に示すように、標準外気温Ｔａを１とし、第１の肩口用設定温度Ｔｓを１すると、温度Ｔｂにおける相対値はＴｂ／Ｔａで表され、Ｔｂ／Ｔａにおける設定温度の相対値はＷｂで表され、このＴｂ／Ｔａにおける設定温度の相対値Ｗｂが変換係数として用いられる。従って、設定温度Ｔｓ’は、第１の肩口用設定温度Ｔｓと変換係数Ｗｂとを乗算した値となる。
【００５７】
さらに、例えば、時間ｔにおいて室内温度センサ３によって検出された外気の温度Ｔｃが標準外気温Ｔａよりも低い場合、温度制御部５は、変換係数記憶部８４に記憶されている変換係数を第１の足元用設定温度Ｔｆに乗算することによって設定温度Ｔｆ”（Ｔｆ＜Ｔｆ”）に変換し、設定温度Ｔｆ”となるように加熱装置１及び吸熱装置２を制御する。また、温度制御部５は、変換係数記憶部８４に記憶されている変換係数を第１の肩口用設定温度Ｔｓに乗算することによって設定温度Ｔｓ”（Ｔｓ＜Ｔｓ”）に変換し、設定温度Ｔｓ”となるように加熱装置１及び吸熱装置２を制御する。
【００５８】
また、温度制御部５は、寝床内の温度が予め設定されている上限値Ｔｕに達した場合、加熱装置１の動作を強制的に終了するように制御し、寝床内の温度が予め設定されている下限値Ｔｄに達した場合、吸熱装置２の動作を強制的に終了するように制御する。すなわち、温度制御部５は、寝床内温度センサ４ａ，４ｂによって検出される寝床内の温度が、上下限値記憶部８１に記憶されている寝床内の温度の上限値に達した場合、肩口用電熱線ヒータ１ａ及び足元用電熱線ヒータ１ｂの駆動を強制的に終了させ、上下限値記憶部８１に記憶されている寝床内の温度の下限値に達した場合、送風機２ｄの駆動を強制的に終了させる。
【００５９】
このように、寝床内の温度が予め設定されている上限値及び下限値に達した場合、加熱装置１及び吸熱装置２の動作が強制的に終了するように制御されるので、例えば、回路故障などによって万が一誤動作したとしても安全を確保することができる。
【００６０】
また、温度制御部５によって、人体が横たわる寝具本体１１の内部を加熱する加熱装置１及び寝具本体１１の内部の熱を吸熱する吸熱装置２の少なくとも一方の温度が制御される。したがって、寝床内の環境を快適な温度に保つことができ、快適な睡眠を提供することができる。
【００６１】
なお、本実施形態では、外気を吸気部２ｂより空間材２ａ内に取り込み、排気部２ｃから排出することによって吸熱しているが、さらに効率よく送風するために空間材２ａの送風領域を限定してもよい。図９は、空間材２ａに送風領域限定部２ｅを設けた場合の空間材２ａ内における気体の流れを示す図である。図９に示すように、空間材２ａに送風領域限定部２ｅを設けることによって、吸気部２ｂより取り込まれた外気は、図９の矢印に示す経路で空間材２ａ内を通り、排気部２より排出されることとなる。送風領域限定部２ｅは、吸気部２ｂ付近の空間材２ａをＬ字状及び逆Ｌ字状に縫製することによって形成される。縫製によって送風領域限定部２ｅを形成することによって、頭部から脚部への人体に沿った気体の流れを形成するように、簡単に気体の流れを制限することができる。なお、送風領域限定部２ｅは、吸気部２ｂ付近の空間材２ａをＬ字状及び逆Ｌ字状に溶着することによって形成してもよく、また、吸気部２ｂ付近の空間材２ａの開孔率を変えることによって形成してもよい。
【００６２】
（第２の実施形態）
次に、本発明の第２実施形態について説明する。本発明の第２実施形態における寝具は、第１実施形態における寝具の構成に加えて湿度を検出する湿度センサと人体を検知する人体検知センサとを設ける。
【００６３】
図１０は、本発明の第２実施形態に係る寝具の外観及び内部構造を示す図である。図１０に示すように、寝具２０は、肩口用電熱線ヒータ１ａ、足元用電熱線ヒータ１ｂ、空間材２ａ、吸気部２ｂ、排気部２ｃ、送風機２ｄ、室内温度センサ３、肩口用寝床内温度センサ４ａ、足元用寝床内温度センサ４ｂ、温度制御部５、操作部６、湿度センサ２１及び人体検知センサ２２を備えて構成される。なお、以下の説明では、図１に示す第１実施形態の寝具１０とは異なる構成のみについて説明する。
【００６４】
湿度センサ２１は、排気部２ｃ付近に設けられ、排気部２ｃより排出される寝床内の空気の湿度を検出する。人体検知センサ２２は、寝具本体１１の中央部分に設けられ、人体が入床したことを検知する。
【００６５】
また、第２の実施形態では、操作部６は、寝具本体１１の上隅部に設けられており、操作部６を制御するための操作制御部６ａも温度制御部５とは別に寝具本体１１の上隅部に設けられている。そのため、使用者は、横たわった状態でも寝具１０を操作することができる。
【００６６】
さらに、吸熱装置２の空間材２ａは、寝具本体１１の中央部分の十字状の空間材２ｆと外側部分の空間材２ｇとが異なる開孔率の材料で形成されている。すなわち、外側部分の空間材２ｇは、中央部分の空間材２ｆよりも開孔率が低い材料で形成されている。このように、寝具本体１１の外側部分の空間材２ｇを中央部分の空間材２ｆよりも開孔率が低い材料で形成することによって、外気を送風する領域を限定することができ、特に、人体が横たわる中央部分を効率よく吸熱することができる。
【００６７】
図１１は、本発明の第２実施形態における寝具の構成を示すブロック図である。図１１に示す寝具２０は、加熱装置１、吸熱装置２、室内温度センサ３、寝床内温度センサ４、温度制御部５、操作部６、タイマ７、メモリ８、湿度センサ２１及び人体検知センサ２２を備えて構成される。なお、以下の説明では、図６に示す第１実施形態の寝具１０とは異なる構成のみについて説明する。
【００６８】
メモリ８は、例えば、ＥＥＰＲＯＭで構成され、上下限値記憶部８１、設定温度記憶部８２、標準外気温記憶部８３、変換係数記憶部８４及び標準湿度記憶部８５を備えて構成される。
【００６９】
標準湿度記憶部８５は、標準的な湿度の変動を記憶する。変換係数記憶部８４は、設定温度を外気温に応じて変換するための変換係数を記憶するとともに、設定温度を寝床内の湿度に応じて変換するための変換係数を記憶する。
【００７０】
次に、第２実施形態における寝具２０の温度制御について説明する。
【００７１】
まず、タイマ７は、人体検知センサ２２からの検出信号をトリガとして計時を開始する。なお、温度制御部５は、人体検知センサ２２からの検出信号が入力されない場合、消費する電力を少なくする省エネモードとなるように電熱線ヒータ１ａ，１ｂ及び送風機２ｄを制御する。室内温度センサ３は、時間ｔにおける室内の外気温を検出し、検出した外気温を温度制御部５に出力する。また、湿度センサ２１は、時間ｔにおける寝床内の湿度を検出し、検出した湿度を温度制御部５に出力する。温度制御部５は、室内温度センサ３によって検出された外気温と、標準外気温記憶部８３に記憶されている時間ｔにおける標準外気温とを比較する。ここで、温度制御部５は、室内温度センサ３によって検出された外気温が、標準外気温記憶部８３に記憶されている時間ｔにおける標準外気温と同じである場合、設定温度記憶部８２に記憶されている時間ｔにおける設定温度となるように加熱装置１及び吸熱装置２を制御する。
【００７２】
一方、温度制御部５は、室内温度センサ３によって検出された外気温が、標準外気温記憶部８３に記憶されている時間ｔにおける標準外気温と異なる場合、設定温度記憶部８２に記憶されている時間ｔにおける設定温度に、変換係数記憶部８４に記憶されている変換係数を乗算することによって得られる変換後の設定温度となるように加熱装置１及び吸熱装置２を制御する。
【００７３】
また、温度制御部５は、湿度センサ２１によって検出された湿度と、標準湿度記憶部８５に記憶されている時間ｔにおける標準湿度とを比較する。ここで、温度制御部５は、湿度センサ２１によって検出された湿度が、標準湿度記憶部８５に記憶されている時間ｔにおける標準湿度と同じである場合、設定温度記憶部８２に記憶されている時間ｔにおける設定温度となるように加熱装置１及び吸熱装置２を制御する。
【００７４】
一方、温度制御部５は、湿度センサ２１によって検出された湿度が、標準湿度記憶部８５に記憶されている時間ｔにおける標準湿度と異なる場合、設定温度記憶部８２に記憶されている時間ｔにおける設定温度に、変換係数記憶部８４に記憶されている変換係数を乗算することによって得られる変換後の設定温度となるように加熱装置１及び吸熱装置２を制御する。
【００７５】
図１２は、設定温度を寝床内の湿度に応じて変換する変換係数について説明するための図である。なお、図１２における縦軸は設定温度（相対値）を表し、横軸は湿度（相対値）を表す。
【００７６】
図１２に示すように、変換係数記憶部８４は、時刻ｔにおける標準湿度の値を１とし、当該時刻ｔにおける設定温度の値を１として、検出された湿度と設定温度とを相対値で表すと、検出された湿度が標準湿度よりも高い場合に設定温度は低くなり、検出された湿度が標準湿度よりも低い場合に設定温度は高くなるような直線Ｌで表される変換係数を記憶している。なお、図１２に示す直線Ｌは、一例であり、その傾き等はこれに限定されるものではない。
【００７７】
例えば、同じ温度であっても湿度が高い場合と湿度が低い場合とでは、湿度が高い場合のほうが体感温度は高くなる。そこで、湿度センサ２１によって検出される寝床内の湿度に応じて寝床内の温度を変化させることにより、さらに快適な睡眠環境を提供することができる。
【００７８】
このように、湿度センサ２１によって検出される寝具本体１１内の湿度に応じて加熱装置１及び吸熱装置２の少なくとも一方の温度が制御されるので、湿度が高い場合に温度が低くなるように制御し、湿度が低い場合に温度が高くなるように制御することによって、寝床内の温度を湿度に応じて快適な温度に保つことができる。
【００７９】
また、温度制御部５は、湿度センサ２１によって検出される湿度の値が高い場合、たとえ寝床内温度センサ４ａ，４ｂによって検出される温度が設定温度よりも低かったとしても、肩口用電熱線ヒータ１ａと足元用電熱線ヒータ１ｂと送風機２ｄとを同時に駆動するように制御することによって、湿度を下げることができる。
【００８０】
また、人体の入床時から起床時までの経過時間がタイマ７によって計時され、タイマ７によって計時される経過時間に応じて加熱装置１及び吸熱装置２の少なくとも一方の温度が制御されるので、入床から起床までの間に変化する寝床内の温度を入床から起床までの経過時間に応じて制御することができ、寝床内の温度を入床から起床までの経過時間に応じて快適な温度に保つことができる。
【００８１】
また、人体検知センサ２２によって人体が検知されると、加熱装置１及び吸熱装置２の少なくとも一方の温度が制御され、人体が検知されない間は消費する電力を少なくする省エネモードに切り換えたり、加熱装置及び吸熱装置によって温度を制御しないなどの制御が行われるため、寝床内の温度を人体の有無に応じて快適な温度に保つことができる。
【００８２】
さらに、人体検知センサ２２によって人体が入床したことを検知してタイマ７のカウントが開始されるので、使用者が入床する前にあらかじめ電源を入れておいたとしても適切に設定温度を変化させることができ、寝床内の温度を制御することができる。
【００８３】
（第３実施形態）
次に、本発明の第３実施形態について説明する。第３実施形態の寝具では、第１実施形態の寝具１０の構成を簡略化し、低コスト化を実現している。
【００８４】
図１３は、本発明の第３実施形態に係る寝具の外観及び内部構造を示す図である。図１３に示すように、寝具３０は、足元用電熱線ヒータ１ｂ、空間材２ａ、吸気部２ｂ、排気部２ｃ、送風機２ｄ、室内温度センサ３、足元用寝床内温度センサ４ｂ及び温度制御部５を備えて構成される。なお、以下の説明では、図１に示す第１実施形態の寝具１０とは異なる構成のみについて説明する。
【００８５】
加熱装置１は足元用電熱線ヒータ１ｂを備えて構成される。一般に、人体で最も冷えを感じやすい部位は、足元であるといわれている。そこで、第３実施形態では、最も冷えを感じやすい部位である足元を暖めるための足元用電熱線ヒータ１ｂのみを設ける。
【００８６】
また、第１実施形態の寝具１０では、寝具本体１１の両側面にそれぞれ吸気部２ｂを設けているが、第３実施形態の寝具３０では、寝具本体１１の両側面のうち一方のみに吸気部２ｂを設け、寝具本体１１の下隅部の吸気部２ｂに対向する位置に排気部２ｃを設けている。このように、吸熱装置２は、吸気部２ｂと排気部２ｃとを対角線上に設けることによって、空間材２ａ内全体に気体が流れるようになり、効率よく吸熱することができる。
【００８７】
なお、第３実施形態における温度制御は、第１実施形態における温度制御とほぼ同じであり、第１実施形態の肩口用電熱線ヒータ１ａ、肩口用寝床内温度センサ４ａがない点だけが異なる点であるので説明を省略する。
【００８８】
また、第３実施形態の寝具３０において、第２実施形態における湿度センサ２１及び人体検知センサ２２を備えてもよい。
【００８９】
（第４実施形態）
次に、本発明の第４実施形態について説明する。第４実施形態では、第１〜第３実施形態に比べて排気部２ｃから排出する気体の容量を大きくすることによって吸熱する時間を短縮する。
【００９０】
図１４は、本発明の第４実施形態に係る寝具の外観及び内部構造を示す図である。図１４に示すように、寝具４０は、肩口用電熱線ヒータ１ａ、足元用電熱線ヒータ１ｂ、空間材２ａ、吸気部２ｂ、排気部２ｃ、送風機２ｄ、室内温度センサ３、肩口用寝床内温度センサ４ａ、足元用寝床内温度センサ４ｂ、温度制御部５及び操作部６を備えて構成される。
【００９１】
図１４に示すように、第４実施形態における寝具４０は、寝具本体１１の下隅部に排気部２ｃ及び操作部６を設けるのではなく、寝具本体１１の下面に、内部に空間が形成された円筒形状の円筒部４１を設け、当該円筒部４１に排気部２ｃを設け、操作部６を寝具本体１１とは別体として設ける。
【００９２】
すなわち、円筒部４１には、排気部２ｃ、送風機２ｄ及び温度制御部５が設けられ、温度制御部５と操作部６とが接続線を介して接続されている。排気部２ｃは、寝具本体１１の下面に接する円筒形状の円筒部４１の一端に開口を設けることによって形成される。送風機２ｄは、円筒部４１の一端に設けられた開口付近に設けられる。
【００９３】
このように、第４実施形態の寝具４０では、寝具本体１１の下面に接するように円筒部４１を設け、円筒部４１の一端に排気部２ｃを設けることによって、寝具本体１１の下面から排出される気体を円筒部４１の内部を通して排気部２ｃから排出することができるので、排出する気体の容量を大きくすることができ、吸熱する時間を短縮することができる。
【００９４】
また、第１〜第３実施形態の寝具と比較して、排気部２ｃ、送風機２ｄ、温度制御部５及び操作部６を寝具本体１１の外部に設けているので、寝具全体を加熱及び吸熱することができる。
【００９５】
なお、本実施形態では、円筒部４１の一端に開口を設けるとともに、開口付近に送風機２ｄを設けているが、本発明は特にこれに限定されず、円筒部４１の両端に開口を設けるとともに、両端の開口付近にそれぞれ送風機２ｄを設けてもよい。この場合、さらに排気部２ｃより排出される気体の量を多くすることができるので、さらに効率よく吸熱することができる。
【００９６】
（第５実施形態）
次に、本発明の第５実施形態について説明する。本発明の第５実施形態では、空間材内に取り込んだ気体を攪拌する攪拌機構を設けることによって、吸気部より取り込んだ気体を空間材内に行き渡らせ、さらに効率よく吸熱する。
【００９７】
図１５は、本発明の第５実施形態に係る寝具の外観及び内部構造を示す図である。図１５に示すように、寝具５０は、肩口用電熱線ヒータ１ａ、足元用電熱線ヒータ１ｂ、空間材２ａ、吸気部２ｂ、排気部２ｃ、送風機２ｄ、送風領域限定部２ｅ、室内温度センサ３、肩口用寝床内温度センサ４ａ、足元用寝床内温度センサ４ｂ、温度制御部５、操作部６及び攪拌機構５１を備えて構成される。なお、以下の説明では、第１〜第４実施形態の寝具とは異なる構成のみについて説明する。
【００９８】
吸熱装置２は、寝床内の温度を下げるものであり、空間材２ａ、吸気部２ｂ、排気部２ｃ、送風機２ｄ、送風領域限定部２ｅ及び攪拌機構５１を備えて構成される。
【００９９】
攪拌機構５１は、空間材２ａ内の気体を攪拌するものであり、本実施形態では３つの送風機５１１，５１２，５１３で構成される。第１の送風機５１１は、吸気部３より取り込まれた人体の頭付近の気体を足元の方向に送る。第２の送風機５１２及び第３の送付機５１３は、中央付近の気体をそれぞれ人体の外側方向に送る。
【０１００】
図１６は、本発明の第５実施形態に係る寝具の空間材内における気体の流れを示す図である。なお、図１６における矢印は、気体の流れる方向を表す。
【０１０１】
図１６に示すように、吸気部２ｂより取り込まれた気体は、送風領域限定部２ｅによって上方に送られる。送風領域限定部２ｅによって上方に送られた気体は、寝具本体１１の上面に当たって下方に送られる。寝具本体１１の上面に当たって下方に送られた気体は、第１の送風機５１１によりさらに人体の足元へと送られる。そして、第１の送風機５１１によりさらに人体の足元へと送られた気体は、中央付近に設けられた第２の送風機５１２及び第３の送風機５１３により左外側方向及び右外側方向に送られる。第２の送風機５１２及び第３の送風機５１３により左外側方向及び右外側方向に送られた気体は、それぞれ排気部２ｃより排出される。
【０１０２】
なお、本実施形態では、攪拌機構５１を３つの送風機で構成しているが、本発明は特にこれに限定されず、攪拌機構５１は、少なくとも１つの送風機を備えて構成すればよい。
【０１０３】
図１７は、本発明の第５実施形態の変形例について説明するための図である。本発明の第５実施形態の変形例では、攪拌機構５１を１つの送風機５１４で構成し、送風領域限定部２ｅを寝具本体１１の両側面に対してＴ字状に設ける。この場合、吸気部２ｂより取り込まれた気体は、送風領域限定部２ｅによって上方に送られる。送風領域限定部２ｅによって上方に送られた気体は、寝具本体１１の上面に当たって下方に送られる。そして、寝具本体１１の上面に当たって下方に送られた気体は、中央付近に設けられた送風機５１４により排気部２ｃとは反対の下隅部の方向（図１７では左側方向）に送られる。送風機５１４により排気部２ｃとは反対の下隅部の方向に送られた気体は、排気部２ｃより排出される。
【０１０４】
このように、吸気部２ｂより取り込まれた気体を攪拌する攪拌機構５１を備えることによって、空間材２ａ内の気体が攪拌され、吸気部２ｂより取り込まれた気体を寝床内全体に送ることができ、空間材２ａ内に空気がたまることを防止することができ、さらに効率よく吸熱することができる。
【０１０５】
また、本発明に係る寝具において、外気を加熱する加熱部及び外気を冷却する冷却部を吸気部２ｂに設けてもよい。
【０１０６】
図１８は、加熱部が設けられた吸気部２ｂを示す図である。この場合、加熱装置は、空間材２ａ、吸気部２ｂ、排気部２ｃ及び送風機２ｄを備えて構成され、図１８に示すように、外気を取り込む吸気部２ｂは取り込まれる外気を加熱する加熱部６１を備えて構成される。なお、加熱部６１は、例えば、電熱線ヒータ等で構成される。このように、吸気部２ｂが備える加熱部６１によって取り込まれる外気が加熱されるので、図１に示す肩口用電熱線ヒータ１ａ及び足元用電熱線ヒータ１ｂを用いることなく、寝床内に取り込まれる気体を暖めることができる。また、温度制御部は、寝床内を加熱する際には、加熱部６１を駆動することにより外気を加熱し、寝床内の熱を吸熱する際には、加熱部６１を駆動せずに外気をそのまま取り込むことにより、加熱及び吸熱を切り換えることができる。
【０１０７】
さらに、図１に示す肩口用電熱線ヒータ１ａ及び足元用電熱線ヒータ１ｂと併用することによって寝床内を加熱する時間を短縮することができる。この場合、肩口用電熱線ヒータ１ａ及び足元用電熱線ヒータ１ｂは、必ずしも設ける必要がなく、加熱部６１を吸気部２ｂに設け、肩口用電熱線ヒータ１ａ及び足元用電熱線ヒータ１ｂの少なくとも一方を備えればよく、肩口用電熱線ヒータ１ａ及び足元用電熱線ヒータ１ｂの少なくとも一方を省略した場合、構成を簡略化することができる。
【０１０８】
図１９は、冷却部が設けられた吸気部２ｂを示す図である。図１９に示すように、外気を取り込む吸気部２ｂに冷却部６２を設けることによって、寝床内に取り込まれる気体を冷却することができ、寝床内を吸熱する時間を短縮することができる。なお、冷却部６２は、例えば、着脱可能な冷却材等で構成され、この冷却材を取り外して冷蔵庫等で冷却しておき使用時に取り付ける。
【０１０９】
また、本実施形態では、肩口用寝床内温度センサ４ａと足元用寝床内温度センサ４ｂとを個々に設けているが、本発明は特にこれに限定されず、肩口用電熱線ヒータ１ａ及び足元用電熱線ヒータ１ｂに温度制御用センサが設けられている場合、この温度制御用センサを肩口用寝床内温度センサ４ａ及び足元用寝床内温度センサ４ｂとして用いてもよい。この場合、構成を簡略化することができ、低コスト化を実現することができる。
【０１１０】
また、本実施形態では、加熱装置１及び吸熱装置２を備えて構成されるが、本発明は特にこれに限定されず、加熱装置１及び吸熱装置２のいずれか一方のみを備えて構成してもよい。この場合、構成を簡略化することができ、低コスト化を実現することができる。
【０１１１】
また、本実施形態において、外気を取り込むための吸気部２ｂ及び寝具中の気体を排気するための排気部２ｃの少なくとも一方に延長パイプを設けてもよい。
図２０は、吸気部２ｂ及び排気部２ｃの少なくとも一方に延長パイプが設けられた寝具６０の外観を示す図である。図２０に示すように、吸気部２ｂ及び排気部２ｃには、延長パイプ７１が設けられている。すなわち、吸気部２ｂの開口及び排気部２ｃの開口の少なくとも一方の開口に延長パイプを取り付けることによって、吸気部２ｂ及び排気部２ｃの開口が寝具によりふさがれることがなくなり、寝具から離れた場所から外気を取り込むとともに、排気することができる。なお、本実施形態では、吸気部２ｂ及び排気部２ｃに延長パイプ７１を設けているが、本発明は特にこれに限定されず、吸気部２ｂ及び排気部２ｃのいずれか一方に延長パイプ７１を設けてもよい。
【０１１２】
さらに、上記各実施形態では、吸熱装置２は、空間材２ａ内に通風経路と、表面材７ａに形成され、空気の入出する吸気部２ｂと、通風経路に外気を通気する送風機２ｄを備えて構成され、寝具本体１１内に取り込まれる空気によって寝床内の温度を吸熱しているが、本発明は特にこれに限定されず、例えば、吸熱装置２は、空間材２ａ内に液体が通る経路と、表面材７ａに形成され、液体の入出する開口と、前記経路に液体を送り出すポンプを備えて構成してもよく、寝具本体１１内に取り込むのは、空気及び液体等の流体であればよい。この場合、寝具本体１１内に取り込まれる液体によって寝床内の温度を吸熱することができる。
【０１１３】
【発明の効果】
本発明によれば、人体の肩口から人体の中央部に対応する表面材の側面に形成された吸気用開口より空気が内層材の通風経路に吸気され、吸気された空気が表面材の人体の足側に形成された排気用開口より排気されることによって吸熱することができ、寝床内の温度を効率よく下げることができ、寝床内の環境を快適な温度に保つことができ、快適な睡眠を提供することができる。
【図面の簡単な説明】
【図１】本発明の第１実施形態に係る寝具の外観を示す図である。
【図２】本発明の第１実施形態に係る寝具の内部構造を示す図である。
【図３】寝具の断面を示す図である。
【図４】睡眠に適した設定温度について説明するための図である。
【図５】操作部の構成の一例を示す図である。
【図６】本発明の第１実施形態における寝具の構成を示すブロック図である。
【図７】第１の実施形態における寝具の温度制御について説明するための図である。
【図８】設定温度を外気温に応じて変換する変換係数について説明するための図である。
【図９】空間材に送風領域限定部を設けた場合の空間材内における気体の流れを示す図である。
【図１０】本発明の第２実施形態に係る寝具の外観及び内部構造を示す図である。
【図１１】本発明の第２実施形態における寝具の構成を示すブロック図である。
【図１２】設定温度を寝床内の湿度に応じて変換する変換係数について説明するための図である。
【図１３】本発明の第３実施形態に係る寝具の外観及び内部構造を示す図である。
【図１４】本発明の第４実施形態に係る寝具の外観及び内部構造を示す図である。
【図１５】本発明の第５実施形態に係る寝具の外観及び内部構造を示す図である。
【図１６】本発明の第５実施形態に係る寝具の空間材内における気体の流れを示す図である。
【図１７】本発明の第５実施形態の変形例について説明するための図である。
【図１８】加熱部が設けられた吸気部を示す図である。
【図１９】冷却部が設けられた吸気部を示す図である。
【図２０】吸気部及び排気部の少なくとも一方に延長パイプが設けられた寝具の外観を示す図である。
【符号の説明】
１  加熱装置
１ａ  肩口用電熱線ヒータ
１ｂ  足元用電熱線ヒータ
２  吸熱装置
２ａ  空間材
２ｂ  吸気部
２ｃ  排気部
２ｄ  送風機
３  室内温度センサ
４ａ  肩口用寝床内温度センサ
４ｂ  足元用寝床内温度センサ
５  温度制御部
６  操作部
７  タイマ
８  メモリ
１０  寝具
１１  寝具本体
【図１】
2005007063.tif 000003
【図２】
2005007063.tif 000004
【図３】
2005007063.tif 000005
【図４】
2005007063.tif 000006
【図５】
2005007063.tif 000007
【図６】
2005007063.tif 000008
【図７】
2005007063.tif 000009
【図８】
2005007063.tif 000010
【図９】
2005007063.tif 000011
【図１０】
2005007063.tif 000012
【図１１】
2005007063.tif 000013
【図１２】
2005007063.tif 000014
【図１３】
2005007063.tif 000015
【図１４】
2005007063.tif 000016
【図１５】
2005007063.tif 000017
【図１６】
2005007063.tif 000018
【図１７】
2005007063.tif 000019
【図１８】
2005007063.tif 000020
【図１９】
2005007063.tif 000021
【図２０】
2005007063.tif 000022